(57)【特許請求の範囲】
【請求項１】
スキーストラップのためのアセンブリであって、
第１の外側ブロック、前記第１の外側ブロックが第１の内側タブの各側に延在するように前記第１の外側ブロックから延在する前記第１の内側タブであって、一対のスキーの間に配置されることを可能にする前記第１の内側タブ、ストラップのための第１のリテイニングメカニズムを含む、第１の部分と、
第２の外側ブロック、前記第２の外側ブロックが第２の内側タブの両側に延在し、前記第２の内側タブが前記第１の内側タブの反対側の前記一対のスキーの間に配置されることを可能にするように前記第２の外側ブロックから延在する前記第２の内側タブ、および、前記ストラップのための第２のリテイニングメカニズムを含む、第２の部分と
を備え、
前記第１のリテイニングメカニズムは、前記ストラップが前記一対のスキーに巻き付けられている間に前記ストラップの第１の部分が前記第１の外側ブロックと係合するときに、前記ストラップの第１の部分を前記第１の内側タブに対してほぼ垂直に配置するように構成され、
前記第２のリテイニングメカニズムは、前記ストラップが前記一対のスキーに巻き付けられている間に前記ストラップの第２の部分が前記第２の外側ブロックと係合するときに、前記ストラップの第２の部分を前記第２の内側タブに対してほぼ垂直に配置するように構成された、
アセンブリ。
【請求項２】
前記スキーストラップをさらに備える請求項１に記載のアセンブリ。
【請求項３】
前記スキーストラップは、バックルから延在するレングス部を含み、前記バックルは、前記レングス部がそれを通して送り込まれて、前記バックルの一部分の周りに前記レングス部をループ状にすることによって、前記第１の部分および前記第２の部分に対して前記スキーを締め付けることを許容する請求項２に記載のアセンブリ。
【請求項４】
前記バックルは、前記レングス部に沿った複数の孔部のうちの１つを使用して、前記ストラップの前記レングス部をそれ自体に固定するための角度付きの歯をさらに含む請求項３に記載のアセンブリ。
【請求項５】
前記第１の内側タブおよび前記第２の内側タブのうちの少なくとも１つは、テーパー付きになっている請求項１に記載のアセンブリ。
【請求項６】
前記第１の外側ブロックおよび前記第２の外側ブロックのうちの少なくとも１つは、それぞれの前記内側タブの少なくとも１つの側に凹んだエリアをさらに含んで、前記スキーのそれぞれの１つから突出するエッジの少なくとも一部分を収容する請求項１に記載のアセンブリ。
【請求項７】
それぞれの前記内側タブの両側に凹んだエリアを含んで、前記スキーのそれぞれから突出するエッジの少なくとも一部分を収容する請求項６に記載のアセンブリ。
【請求項８】
前記第１の外側ブロックおよび前記第２の外側ブロックの両方は、それぞれの前記内側タブの両側に前記凹んだエリアを含む請求項７に記載のアセンブリ。
【請求項９】
前記凹んだエリアは、前記第１の外側ブロックおよび前記第２の外側ブロックのうちの前記少なくとも１つの中へ延在するベベルから形成されている請求項６に記載のアセンブリ。
【請求項１０】
前記凹んだエリアは、前記第１の外側ブロックおよび前記第２の外側ブロックのうちの前記少なくとも１つの中へ延在するノッチから形成されている請求項６に記載のアセンブリ。
【請求項１１】
前記第１の部分および前記第２の部分のうちの少なくとも１つは、電気的に不活性な材料を含む請求項１に記載のアセンブリ。
【請求項１２】
前記電気的に不活性な材料は、ガラスを充填されたナイロンを含む請求項１１に記載のアセンブリ。
【請求項１３】
前記第１の内側タブおよび前記第２の内側タブのうちの少なくとも１つは、複数のオフセット部分を含んで、吊り下げメカニズムとインターフェース接続するための少なくとも１つのボイドを生成する請求項１に記載のアセンブリ。
【請求項１４】
前記複数のオフセット部分は、上側ウェッジと、下側ウェッジと、上側ボイドおよび下側ボイドを生成する中央ウェッジとを含む請求項１３に記載のアセンブリ。
【請求項１５】
前記第１の外側ブロックおよび前記第２の外側ブロックのうちの少なくとも１つは、吊り下げメカニズムとインターフェース接続するようにテーパー付きになっている請求項１に記載のアセンブリ。
【請求項１６】
スキーストラップと、
請求項１に記載のアセンブリと
を備える、スキーストラップデバイス。
【請求項１７】
吊り下げメカニズムをさらに備え、前記吊り下げメカニズムは、前記アセンブリを支持するために本体部から延在するプラットフォームを含み、前記プラットフォームは、そこから上向きに延在し、前記アセンブリの前記第１の部分および前記第２の部分のうちの少なくとも１つの上のボイドとアライメント状態になるように位置決めされ、前記アセンブリを前記プラットフォーム上に置いて前記一対のスキーを吊るすピンを含む請求項１６に記載のスキーストラップデバイス。
【請求項１８】
スキーのための吊り下げデバイスであって、
第１の外側ブロック、前記第１の外側ブロックが第１の内側タブの各側に延在するように前記第１の外側ブロックから延在する前記第１の内側タブであって、一対のスキーの間に配置されることを可能にする前記第１の内側タブ、ストラップのための第１のリテイニングメカニズム、および、前記ストラップによって固定されているときの前記一対のスキーを吊り下げるための、前記第１の内側タブの方向とは反対の方向に延在する吊り下げメカニズムを含む、第１の部分と、
第２の外側ブロック、前記第２の外側ブロックが第２の内側タブの両側に延在し、前記第２の内側タブが前記第１の内側タブの反対側の前記一対のスキーの間に配置されることを可能にするように前記第２の外側ブロックから延在する前記第２の内側タブ、および、前記ストラップのための第２のリテイニングメカニズムを含む、第２の部分と
を備える、吊り下げデバイス。
【請求項１９】
スキーストラップと、
請求項１８に記載の吊り下げデバイスと
を備える、スキーストラップアセンブリ。
【請求項２０】
前記第１の内側タブおよび前記第２の内側タブのうちの少なくとも１つは先細になっている請求項１８に記載の吊り下げデバイス。
【発明の詳細な説明】
【技術分野】
【０００１】
以下は、スキーストラップアセンブリ、および、スキーを吊り下げるためにスキーストラップとともに使用されるべき吊り下げデバイスに関する。
【背景技術】
【０００２】
関連出願の相互参照
本出願は、２０１７年３月１６日に出願された米国特許仮出願第６２／４７２，１４２号明細書の優先権を主張し、その内容全体は、参照により本明細書に組み込まれている。
【０００３】
スキーストラップは、使用中でない１対のスキーを輸送することを支援するために、１対のスキーを一緒に固定するために日常的に使用される。スキーストラップは、通常、スキーとスキーとの間に挿入されるストラップの端部において保護タブを含み、ストラップの残りの部分は、スキーに巻き付き、輸送目的のために１対のアイテムを単一のアイテムへと効果的に組み合わせるために、それ自体に固定される。
【０００４】
保護タブを含まない他のスキーストラップが存在するが、このスキーストラップは、単に１対のスキーに巻き付き、バックルを使用して締め付けられる。そのようなスキーストラップの例は、Ｖｏｉｌｅ  Ｍａｎｕｆａｃｔｕｒｉｎｇによって生産されているＶｏｉｌｅ  Ｓｔｒａｐｓ（登録商標）である。これらのタイプのスキーストラップは、バックカントリースキーヤーによって好まれることが多く、その場合に、チューニングされた表面とスキーのエッジとの間の接触は、通常では、最重要の関心事ではない。しかし、チューニングされた表面は、互いに接触して設置され、湿分および破片を表面に押し付けて捕捉し、これは、少なくとも一部のスキーヤーにとっては望ましくない。
【０００５】
そのうえ、スキーストラップは、輸送のために有用であるが、スキーを保管することに関する問題には対処しない。スキーの保管を整理することは、スキーがスキーストラップを使用して固定されているときでも、典型的に、スキーを整理および保護するために、慎重な設置または別々のラックもしくは他の構造体を必要とする。
【先行技術文献】
【特許文献】
【０００６】
【特許文献１】国際特許出願第ＰＣＴ／ＣＡ２０１６／０５１４２２号
【発明の概要】
【課題を解決するための手段】
【０００７】
１つの態様では、スキーストラップのためのアセンブリであって、第１の外側ブロック、第１の外側ブロックから延在する第１の内側タブ、ストラップのための第１のリテイニングメカニズム（保持機構）を含む、第１の部分と、第２の外側ブロック、第２の外側ブロックから延在する第２の内側タブ、および、ストラップのための第２のリテイニングメカニズムを含む、第２の部分とを備える、アセンブリが提供される。
【０００８】
別の態様では、スキーのための吊り下げデバイスであって、第１の外側ブロック、第１の外側ブロックから延在する第１の内側タブ、ストラップのための第１のリテイニングメカニズム、および、ストラップによって固定されているときの１対のスキーを吊り下げるための、第１の内側タブの方向とは反対の方向に延在する吊り下げメカニズムを含む、第１の部分と、第２の外側ブロック、第２の外側ブロックから延在する第２の内側タブ、および、ストラップのための第２のリテイニングメカニズムを含む、第２の部分とを備える、吊り下げデバイスが提供される。
【０００９】
さらに別の態様では、スキーストラップと、上記に説明されている吊り下げデバイスとを備えるスキーストラップアセンブリが提供される。ストラップは、ある長さの材料と、スキーストラップアセンブリを使用してスキーの周りにストラップを固定するためのバックルとを含むことが可能である。
【００１０】
さらに別の態様では、レングス部（length）を含むストラップであって、レングス部は、それに沿った複数の孔部と、移動可能な歯またはボタン構造体であって、複数の孔部のうちの１つを使用してストラップに固定されて、歯またはボタンがストラップに沿った複数の位置に設置されることを可能にする、移動可能な歯またはボタン構造体とを含む、ストラップが提供される。
【図面の簡単な説明】
【００１１】
ここで、実施形態が、添付の図面を参照して、単なる例として説明されるであろう。
【図１】複数のスキーストラップによって保持されている１対のスキーであって、スキーストラップのうちの１つが、吊り下げデバイスを含む、１対のスキー、および、それとともに使用される吊り下げメカニズムの側面図である。
【図２】スキーストラップおよび吊り下げデバイスの斜視図である。
【図３Ａ】１対の端部部分が１対のスキーを固定するために使用されている状態のスキーストラップの概略平面図である。
【図３Ｂ】１対の端部部分を有するスキーストラップを使用して固定されている１対のスキーの概略平面図である。
【図３Ｃ】ベベル付きのスキーエッジに隣接する端部部分を図示する図である。
【図３Ｄ】ベベル付きのスキーエッジを収容するためのスキーストラップの第１または第２の部分の中の凹んだエリアを図示する図である。
【図３Ｅ】ベベル付きのスキーエッジを収容するためのスキーストラップの第１または第２の部分の中の代替的な凹んだエリアを図示する図である。
【図４Ａ】スキーストラップの第１の部分および吊り下げループを有する吊り下げデバイスのさらなる詳細を図示する図である。
【図４Ｂ】スキーストラップの第１の部分および吊り下げループを有する吊り下げデバイスのさらなる詳細を図示する図である。
【図４Ｃ】スキーストラップの第１の部分および吊り下げループを有する吊り下げデバイスのさらなる詳細を図示する図である。
【図４Ｄ】スキーストラップの第１の部分および吊り下げループを有する吊り下げデバイスのさらなる詳細を図示する図である。
【図４Ｅ】代替的な例示的な寸法を有する、図４Ａと同様の平面図である。
【図４Ｆ】スキーストラップの第１の部分から第２の部分および吊り下げデバイスを固定するためのノッチを備えた、図４Ａおよび図４Ｅと同様の平面図である。
【図４Ｇ】第１の部分の斜視図である。
【図４Ｈ】スキーストラップの２つの部分を一緒に固定しているときに、図４Ｆに示されているノッチが、図３Ｄに示されている凹んだエリアと組み合わせられている、代替例を図示する図である。
【図４Ｉ】ベベル付きのスキーエッジがそれに隣接した状態の、図４Ｈに示されている代替例を図示する図である。
【図５Ａ】スキーストラップの第２の部分および吊り下げデバイス、または、吊り下げデバイスなしのスキーストラップアセンブリのさらなる詳細を図示する図である。
【図５Ｂ】スキーストラップの第２の部分および吊り下げデバイス、または、吊り下げデバイスなしのスキーストラップアセンブリのさらなる詳細を図示する図である。
【図５Ｃ】スキーストラップの第２の部分および吊り下げデバイス、または、吊り下げデバイスなしのスキーストラップアセンブリのさらなる詳細を図示する図である。
【図５Ｄ】スキーストラップの第２の部分および吊り下げデバイス、または、吊り下げデバイスなしのスキーストラップアセンブリのさらなる詳細を図示する図である。
【図５Ｅ】スキーストラップの第２の部分および吊り下げデバイス、または、吊り下げデバイスなしのスキーストラップアセンブリのさらなる詳細を図示する図である。
【図６Ａ】互いに連結されているスキーストラップの第１および第２の部分および吊り下げデバイスを図示する図である。
【図６Ｂ】互いに連結されているスキーストラップの第１および第２の部分および吊り下げデバイスを図示する図である。
【図６Ｃ】互いに連結されているスキーストラップの第１および第２の部分および吊り下げデバイスを図示する図である。
【図６Ｄ】互いに連結されているスキーストラップの第１および第２の部分および吊り下げデバイスを図示する図である。
【図６Ｅ】互いに連結されているスキーストラップの第１および第２の部分および吊り下げデバイスを図示する図である。
【図６Ｆ】代替的な例示的な寸法を有する、図６Ｃおよび図６Ｄの図と同様の図である。
【図６Ｇ】代替的な例示的な寸法を有する、図６Ｃおよび図６Ｄの図と同様の図である。
【図７Ａ】スキーストラップアセンブリならびに／またはスキーストラップおよび吊り下げデバイスとともに使用されるべきストラップに関するさらなる詳細を図示する図である。
【図７Ｂ】スキーストラップアセンブリならびに／またはスキーストラップおよび吊り下げデバイスとともに使用されるべきストラップに関するさらなる詳細を図示する図である。
【図７Ｃ】スキーストラップアセンブリならびに／またはスキーストラップおよび吊り下げデバイスとともに使用されるべきストラップに関するさらなる詳細を図示する図である。
【図７Ｄ】スキーストラップアセンブリならびに／またはスキーストラップおよび吊り下げデバイスとともに使用されるべきストラップに関するさらなる詳細を図示する図である。
【図７Ｅ】スキーストラップアセンブリならびに／またはスキーストラップおよび吊り下げデバイスとともに使用されるべきストラップに関するさらなる詳細を図示する図である。
【図７Ｆ】スキーストラップアセンブリならびに／またはスキーストラップおよび吊り下げデバイスとともに使用されるべきストラップに関するさらなる詳細を図示する図である。
【図８Ａ】図７Ａから図７Ｆに示されているスキーストラップとともに使用されるべきバックルに関するさらなる詳細を図示する図である。
【図８Ｂ】図７Ａから図７Ｆに示されているスキーストラップとともに使用されるべきバックルに関するさらなる詳細を図示する図である。
【図８Ｃ】図７Ａから図７Ｆに示されているスキーストラップとともに使用されるべきバックルに関するさらなる詳細を図示する図である。
【図８Ｄ】図７Ａから図７Ｆに示されているスキーストラップとともに使用されるべきバックルに関するさらなる詳細を図示する図である。
【図９Ａ】スキーストラップおよび吊り下げデバイスの側面組立図である。
【図９Ｂ】スキーストラップおよび吊り下げデバイスの平面組立図である。
【図９Ｃ】図５に示されている第２の部分のうちの２つを利用するスキーストラップアセンブリの側面組立図である。
【図９Ｄ】図５に示されている第２の部分のうちの２つを利用するスキーストラップアセンブリの平面組立図である。
【図１０Ａ】図１に示されている吊り下げメカニズムのための上側ポストを図示する図である。
【図１０Ｂ】図１に示されている吊り下げメカニズムのための上側ポストを図示する図である。
【図１０Ｃ】図１に示されている吊り下げメカニズムのための上側ポストを図示する図である。
【図１０Ｄ】図１に示されている吊り下げメカニズムのための上側ポストを図示する図である。
【図１１Ａ】図１に示されている吊り下げメカニズムのための下側ポストを図示する図である。
【図１１Ｂ】図１に示されている吊り下げメカニズムのための下側ポストを図示する図である。
【図１１Ｃ】図１に示されている吊り下げメカニズムのための下側ポストを図示する図である。
【図１１Ｄ】図１に示されている吊り下げメカニズムのための下側ポストを図示する図である。
【図１２】上側ポストと下側ポストとの間に最小分離を提供するための据え付け技法を図示する図である。
【図１３】図１１に示されている下側ポストと組み合わせて使用されるワイヤーロックを図示する図である。
【図１４】保管構成になっているスキーストラップおよび吊り下げデバイスの平面図である。
【図１５】複数のスキーストラップによって保持されている１対のスキーの側面図であり、代替的な吊り下げメカニズムが、それとともに使用されている状態を示す図である。
【図１６】固定されているスキーストラップおよび吊り下げデバイスの平面図である。
【図１７】１対の摩擦部材を備えた吊り下げデバイス端部部分の部分平面図である。
【図１８Ａ】別の構成で１対のスキーに固定されているスキーストラップおよび吊り下げデバイスの概略平面図である。
【図１８Ｂ】スキーストラップアセンブリを１対のスキーに固定するために使用される複数のストラップレングス部分を備えたスキーストラップアセンブリの概略平面図である。
【図１９Ａ】ストラップを固定するための移動可能な歯を図示する図である。
【図１９Ｂ】ストラップを固定するための移動可能な歯を図示する図である。
【図１９Ｃ】ストラップを固定するための移動可能な歯を図示する図である。
【図２０】１つの実装形態における、図１９Ａから図１９Ｃに示されているストラップを利用するスキーストラップおよび吊り下げデバイスの概略平面図である。
【図２１】別の実装形態における、図１９Ａから図１９Ｃに示されているストラップを利用するスキーストラップおよび吊り下げデバイスの概略平面図である。
【図２２Ａ】ストラップを固定するための移動可能なボタンを図示する図である。
【図２２Ｂ】ストラップを固定するための移動可能なボタンを図示する図である。
【図２２Ｃ】ストラップを固定するための移動可能なボタンを図示する図である。
【図２２Ｄ】ストラップを固定するための移動可能なボタンを図示する図である。
【図２２Ｅ】ストラップを固定するための移動可能なボタンを図示する図である。
【図２３】別の実装形態におけるスキーストラップアセンブリの中で使用するための端部部分の斜視図である。
【図２４】線Ｂ−Ｂに沿った、図２５の端部部分の断面図である。
【図２５】図２３の端部部分の正面図である。
【図２６】図２３の端部部分の側面図である。
【図２７】線Ａ−Ａに沿った、図２６の端部部分の断面図である。
【図２８】図２３に示されている１対の端部部分およびスキーストラップを含むスキーストラップアセンブリの斜視図である。
【図２９】図２３の端部部分とともに使用されるように構成されている吊り下げメカニズムの正面斜視図である。
【図３０】図２９の吊り下げメカニズムの後方斜視図である。
【図３１】図３３に示されている線Ｂ−Ｂに沿った、図２９の吊り下げメカニズムの水平断面図である。
【図３２】図２９の吊り下げメカニズムの底面図である。
【図３３】図２９の吊り下げメカニズムの正面図である。
【図３４】図２９の吊り下げメカニズムの側断面図である。
【図３５】図２９の吊り下げメカニズムの上に着座させられている、図２３の端部部分の正面斜視図である。
【図３６】端部部分に対する吊り下げメカニズムのポストの拡大正面図である。
【図３７】図２９の吊り下げメカニズムの上に着座させられている、図２３の端部部分の底部平面図である。
【図３８】図２９の吊り下げメカニズムの上に着座させられている、図２３の端部部分の上部平面図である。
【発明を実施するための形態】
【００１２】
ここで図を見てみると、図１は、組み合わせられたスキーストラップおよび吊り下げデバイス１０（以降では「デバイス１０」）を図示している。デバイス１０は、第１の部分１２および第２の部分１４を含み、第１の部分１２および第２の部分１４は、ストラップ１６を使用して、１対のスキーＳ１、Ｓ２の反対側に固定されている。第１の部分１２は、吊り下げループ２２または他の吊り下げサポート部材もしくはメカニズム（たとえば、Ｄ字リング）を含み、それは、吊り下げメカニズム２４または他の適切なフック、ペグ、ポスト、ネイル、突出部、磁石、バックル、Ｖｅｌｃｒｏ（登録商標、面ファスナー）などの上に、スキーＳ１、Ｓ２を吊り下げるために使用される。
【００１３】
図１に図示されている吊り下げメカニズム２４は、上側ポスト２６および下側ポスト２８を含み、その詳細は、下記に提供されている。ポスト２６、２８は、壁部２９または他の基板（たとえば、棚ユニットまたは他の家具の側部）に固定されている。上側ポスト２６は、リップを含み、ループ２２がリップの上に吊り下がっており、下側ポスト２８は、突出部またはバンパーとして作用し、それは、壁部２９から外向きに延在し、スキーＳ１、Ｓ２と壁部２９との間の分離を維持する。このように、スキーＳ１、Ｓ２が壁部の上に吊り下がることができるだけでなく、下側ポスト２８は、スキーＳ１、Ｓ２を支持するときに、仕上げられた壁部への損傷を抑制する（たとえば、塗料片および乾式壁片、凹み傷などを回避するために）。また、このようにスキーＳ１、Ｓ２を支持することは、全体的な解決策の審美的な魅力を改善するということが見出された。ポスト２６とポスト２８との間の１２インチ（３０．４８ｃｍ）以上の分離は、上側ポスト２６の上の吊り下げデバイス１０のミスアライメントを回避するのに好適であり、壁部２９に対して実質的に鉛直の配向を提供するということが見出された。また、ポスト２６とポスト２８との間のこの分離は、スキーＳ１、Ｓ２が壁部２９に向けてまたは壁部２９から離れるように回転することを抑制することが可能である。
【００１４】
一般的に、ループ２２は、概して垂直方向に配向された部材がそれを通過することができるように、および／または、それと係合することができるように配向されており、たとえば、図１に示されている上側ポスト２６、および、上記に述べられているようなフックの一部分などのような、さまざまな構造体の上にループ２２が支持されることを可能にする。すなわち、この例では、ループ２２の中に設けられている開口部は、スキーＳ１、Ｓ２によって画定される平面に対して直交して配向されており、スキーＳ１、Ｓ２を直立の様式で配向させる。
【００１５】
壁部に固定されている吊り下げメカニズム２４を使用することに加えて、デバイス１０は、また、スキーラックまたは他の自立した構造体、たとえば、棚ユニットなど（図示せず）の上に提供されたフック、ペグ、または他の部材の上に吊り下げられ得る。したがって、デバイス１０は、必ずしも、壁部に装着された構造体とともに使用されることを必要とするわけではない。そのうえ、既存のスキーラック（または、他の構造体）は、フック（または、吊り下げメカニズム２６）を含むように改良され得、構造体が、本明細書で説明されているようなデバイス１０とともに使用され得るようになっている。
【００１６】
また、１対の第２の部分１４が、別のストラップ１６とともに使用され、１つまたは複数の二次的なデバイス２０（本明細書で、非吊り下げデバイス２０、または、スキーストラップのためのアセンブリとも称される）を提供することが可能であり、１つまたは複数の二次的なデバイス２０は、第１の部分１２に設けられているものなどのような吊り下げデバイスを必要としない。図１では、複数の追加的な二次的なデバイス２０がスキーＳ１、Ｓ２を互いに固定するために使用され得るということを見ることができる。また、１対の第２の部分１４およびストラップが、任意の吊り下げデバイスなしで、単独で使用され、たとえば、従来のスキーストラップを交換することができるということが認識され得る。
【００１７】
たとえば、図２に示されているようなＶｏｉｌｅタイプストラップなど、さまざまなタイプのストラップ１６が使用され得る。ここで図２を見てみると、第１および第２の部分１２、１４が、より詳細に示されている。第１の部分１２は、概して「Ｔ字」形状になっており、リップ３２を備えた第１の外側ブロック３０を含み、リップ３２は、保管、出荷、輸送などのために、ループ２２をそれに固定する。第１の外側ブロック３０は、第１のスロット３４を含み、第１のスロット３４は、ストラップ１６の通過を許容する。すなわち、第１のスロット３４は、第１の外側ブロック３０の中に位置決めされており、第１の外側ブロック３０は、スキーＳ１、Ｓ２のエッジに当接しており、それがスキーＳ１、Ｓ２の外部にあるようになっており、また、それがスキーＳ１、Ｓ２の周りにストラップ１６をガイドし、それらを一緒に固定するようになっている。また、第１の部分１２は、また、テーパー付きの第１の内側タブ３６を含み、テーパー付きの第１の内側タブ３６は、第１の外側ブロック３０から垂直方向に延在しており、それがスキーＳ１とスキーＳ２との間に固定されるようになっているが、その一部分のみが、実際にスキーＳ１、Ｓ２に触れるように、すなわち、下記に議論されているように、エッジにおいて触れるようになっている。タブ３６は、図２において点線で見られる。また、第１の内側タブ３６は、スキーＳ１とスキーＳ２との間の分離を提供し、その分離は、第１の内側タブ３６が第１の外側ブロック３０に接続する、第１の内側タブ３６のベースの厚さと同等である。テーパー付きの第１の内側タブ３６を有することによって、スキーＳ１、Ｓ２の「チューニングされた」表面との接触の量が最小化され、ストラップ１６が固定されているときにエッジのみと接触することが可能である。これは、デバイス１０、２０がレーシングスキーとともに使用されるときに、とりわけ有利である可能性があり、レーシングスキーでは、下層の地形に係合する表面およびエッジの品質が、レーサーにとって最重要である。また、スキーＳ１とスキーＳ２との間の間隔は、スキーＳ１、Ｓ２の下層の表面を覆って空気が流れることを可能にし、したがって、湿分の堆積、酸化、破片の蓄積などを低減させるかまたは排除する。
【００１８】
また、第２の部分１４は、図２において点線で主に示されている。第２の部分１４は、第２のスロット４２を有する第２の外側ブロック４０を含み、第２のスロット４２は、第１の部分１２の第１の外側ブロック３０の中の第１のスロット３４と同様である。第２の外側ブロック４０は、スキーＳ１、Ｓ２のエッジに当接しており、それがスキーＳ１、Ｓ２の外部にあるようになっており、また、それがスキーＳ１、Ｓ２の周りにストラップ１６をガイドし、ストラップ１６が第１および第２の部分１２、１４の両方を通して送り込まれるときに、それらを一緒に固定するようになっている。また、第２の部分１４は、テーパー付きの第２の内側タブ４４を含み、テーパー付きの第２の内側タブ４４は、第２の外側ブロック４０から垂直方向に、および、第１の外側ブロック３０に向けて（すなわち、第１の内側タブ３６の方向とは反対の方向に）延在しており、第１のタブ１２に関して上記に説明されているものと同様の様式で、それがスキーＳ１とスキーＳ２との間に置かれるようになっている。一貫した分離を維持するために、第２の内側タブ４４のベースの厚さは、第１の内側タブ３６の厚さと実質的に同じまたは同一であるべきである。その理由は、第２の内側タブ４４も、スキーＳ１とスキーＳ２との間に分離を提供し、その分離が、その厚さと同等であるからである。繰り返しになるが、テーパー付きの第２の内側タブ４４を有することによって、スキーＳ１、Ｓ２の「チューニングされた」表面との接触の量が最小化され、エッジのみと接触することが可能である。
【００１９】
また、図２は、ストラップ１６を示しており、ストラップ１６は、適切な場所に固定される前に、第１および第２のスロット３４、４２を通して送り込まれる。第１および第２のスロット３４、４２は、必ずしも必要とされるわけではないということが認識され得る。たとえば、ストラップ１６の位置決めを維持するために、上側リッジ（ridge）部および下側リッジ部（図示せず）を備えた外向きに面する（および、開放した）チャネルを有するように、第１および第２の部分１２、１４を構成することが可能である。しかし、図２に示されているようなスロット３４、４２を使用することは、たとえば、保管および輸送のために、ストラップ１６ならびに第１および第２の部分１２、１４を一緒に維持することを容易にする。
【００２０】
図２に示されているストラップ１６は、Ｖｏｉｌｅタイプストラップ１６であり、Ｖｏｉｌｅタイプストラップ１６は、ナイロンバックル５２から延在するゴム加工されたレングス部５０を有している。レングス部５０は、一方の端部において、バックル５２に取り付けられており、また、自由端部を有しており、自由端部は、スロット３４、４２を通して送り込まれ得る。また、自由端部は、バックル５２を通して送り込まれ、第２の部分１４に向けて引っ張り戻され、第１および第２の部分１２、１４のタブ３６、４４を互いに向けて引っ張りながら、スキーＳ１、Ｓ２の周りにレングス部５０を締める。バックル５２は、ストラップ１６のレングス部５０からたるみが除去されることを可能にし、より容易な締め付けを可能にする。バックル５２は、ストラップ１６がそれを通してループ状にされているときにバックル５２に付与される力に耐えることができる、プラスチックもしくは金属または任意の他の適切な材料、たとえば、ナイロンから作製され得る。同様に、ループ２２は、Ｄ字リングなどのような金属リングを使用して実装され得、または、典型的なスキーＳ１、Ｓ２の対の重量を支持することが可能でありながら、ループ２２が第１の外側ブロック３０に形成されるかまたは貼り付けられることを可能にする、ファブリック、プラスチック、ストリング／ロープ、または、任意の他の材料、たとえば、ナイロンから作製され得る。
【００２１】
ストラップ１６のレングス部５０は、図２に示されているように、テーパーを含むことが可能であり、使用されている材料に応じて、さまざまな厚さを含むことが可能であり、また、異なるスキー幅に適応するためにさまざまな長さを含むことが可能である。そうであるので、本明細書で説明されている原理の範囲内で使用され得るさまざまな構成および材料が存在するということが認識され得る。
【００２２】
レングス部５０を適切な場所に固定するために、それが、望ましくはきつくなるまで、歯５４の上方を引っ張られ、歯５４が、レングス部５０の中の一連の孔部５６のうちの１つに整合させられ、それを通して送り込まれた状態になる。図３Ａに図示されているように、歯５４は、バックル５０によって画定される平面に対して角度を付けられており、レングス部５０が引張状態になる（そして、使用されている材料に応じて、部分的に引き伸ばされる）まで、レングス部の中の特定の孔部５６を歯５４に沿って引っ張ることが、レングス部５０の復元力が孔部５６を通して歯５４を引っ張ることを保証し、ストラップ１６、第１の部分１２、および第２の部分１４を一緒に固定するようになっている。したがって、図２に示されているＶｏｉｌｅタイプストラップ１６は、Ｖｏｉｌｅタイプストラップ１６が通常使用されるのと同じ方式で使用され得るということが認識され得る。しかし、ストラップ１６を第１および第２の部分１２、１４を通して送り込むことによって、スキーＳ１とスキーＳ２との間の上述の分離が実現される。そのうえ、デバイス１０を組み立てる際に第１の部分１２を含むことによって、ストラップ１６は、スキーＳ１、Ｓ２を吊り下げるための吊り下げデバイスの中へ組み込まれる。このようにバックル５２を通してレングス部５０を送り込むことによって、ストラップ１６は、スキーＳ１、Ｓ２の異なる幅およびサイズに適応することが可能である。
【００２３】
図３Ａ、図３Ｂ、図３Ｃ、図３Ｄ、および図３Ｅは、デバイス１０、２０が組み立てられているときにスキーＳ１とスキーＳ２との間に維持される分離に関して、追加的な詳細を提供している。図３Ａでは、デバイス２０の組み立ての間の１対の第２の部分１４が示されている。図３Ａにおいて見ることができるように、第２の内側タブ４４は、垂直のベース部分４５を含み、垂直のベース部分４５は、タブ４４がテーパーになり始める前に、ブロック４０から延在している。テーパー付きのタブ４４が、図３Ａに示されているように、スキーＳ１、Ｓ２との接触を最小化するが、その長さは、ストラップ１６が部分１４を通して送り込まれているときにスキーＳ１、Ｓ２が回転させられているときでも、スキーＳ１とスキーＳ２との間のタブ４４のアライメントを維持することによって、組み立てを容易にする。すなわち、タブ４４の長さは、組み立ての間に部分１４が適切な位置から滑り落ちることを抑制する。図３Ａに図示されているように、ストラップ１６のレングス部５０は、図３Ｂに示されているように、２つの第２の部分１４のスロット４２を通して、バックル５２を通して送り込まれ、それが歯５４の上方に固定され得るように折り返される。図３Ｂでは、部分１４は、タブ４４のテーパリングに起因して、エッジＥのみにおいてスキーＳ１、Ｓ２に接触しており、したがって、スキーＳ１とスキーＳ２との間のボイドＢを最大化しているということが観察され得る。図３Ｃは、角度付きのエッジＥ’を図示しており、エッジＥ’は、また、垂直の部分４５およびブロック４０の一部に接触して適切に着座させられる。
【００２４】
図３Ｄおよび図３Ｅに示されている代替的な構成では、第１のまたは第２の部分１２、１４と接触するエッジＥ’の量は、垂直のベース３７、４５に隣接しているブロック３０、４０の一部分の中へ、凹んだエリア４００、４０１を組み込むことによって最小化され得る。最初に図３Ｄを参照すると、この例では、凹んだエリア４００が、ベベル（bevel）をブロック３０、４０の中へ導入することによって生成されており、ブロック３０、４０は、典型的にスキーＳ’の側壁エッジＥ１の上に含まれるベベルと同様のまたはそれ以上の角度を有している（たとえば、いくつかのケースでは、最大で４度）。側壁エッジＥ１よりも高いポイントにおいて（すなわち、エッジＥ’の頂部においてまたはその前において）、ベベル付きの凹んだエリア４００を開始することによって、側壁エッジＥ１というよりもむしろ、スキーＳ’の側壁部分４０２だけが、ブロック３０、４０と接触する。また、図３Ｄに見ることができるように、スキーＳ’のベースエッジＥ２も、ベベル付きのエッジＥ２（たとえば、約０．５〜１度）を有することが可能であり、ベベル付きのエッジＥ２は、垂直のベース３７、４５との最小接触エリア４０４を有している。このように、スキーＳ’のベースとの接触が最小化されるかまたは完全に回避されるだけではなく、エッジＥ１、Ｅ２と部分１２、１４との間の接触が、小さいエリア４０４まで最小化され、残りの接触は、スキーＳ’の側壁と側壁部分４０２におけるブロック３０、４０との間にある状態になるということを見ることが可能である。
【００２５】
次に図３Ｅを見てみると、凹んだエリア４００、４０１が、その代わりに、図３Ｅの中の数字４０１によって示されているノッチ（notch）付きの部分を使用して提供され得るということが認識され得る。図３Ｄに示されている代替例と同様に、側壁エッジＥ１よりも高いポイントにおいてノッチを開始することによって、スキーＳ’の側壁部分４０２だけが、ブロック３０、４０と接触する。ノッチ付きの凹んだエリア４０１の深さは、異なる範囲（たとえば、最大で４度）まで突出し得るさまざまな予期されるベベル付きの側壁エッジＥ１を収容するように選ばれ得る。図３Ｄおよび図３Ｅは、ベベル付きのおよびノッチ形状の凹んだエリア４００、４０１を図示しているが、たとえば、曲線またはディボット（divot）など、任意の適切な形状または輪郭が使用され得るということが認識され得る。そのうえ、より確実にするために、図３Ｄおよび図３Ｅから明らかであるが、凹んだエリア４００、４０１（または、そのバリエーション）が、第１の部分１２（吊り下げデバイスを備えている）または第２の部分１４（吊り下げデバイスを備えていない）のいずれかまたは両方の上のタブ３６、４４の両側に適用され得るということが認識され得る。
【００２６】
図３Ａ〜図３Ｅに図示されているように、および、上記に議論されているように、スキーＳ１、Ｓ２のエッジＥ、Ｅ’（それぞれ側壁エッジＥ１およびベースエッジＥ２を含む）は、典型的に、第１および第２の部分１２、１４と接触するであろう。たとえば、図３Ｃでは、側壁エッジＥ１およびベースエッジＥ２の両方が、ブロック４０およびタブ４４に少なくとも部分的に接触することとなり、図３Ｄおよび図３Ｅでは、ベースエッジＥ２の少なくとも一部分が、ブロック３０、４０に接触するであろう。実装形態では、エッジＥ、Ｅ’の中の金属と第１および第２の部分１２、１４との間の潜在的なガルバニック腐食（たとえば、金属材料同士の間の「バッテリー」効果によって引き起こされる）を回避するために、これらの部分１２、１４を形成するために使用される材料は、電気的に不活性であるように選択され得、すなわち、それらの組成の中に任意の金属部分を有していない。たとえば、炭素繊維材料は、強力で耐久性があるということが知られているが、ガラスを充填されたナイロン材料などのような、代替的な材料が、ガルバニック腐食に関する可能性を未然に防ぐように選択され得、それは、同様に耐久性があって強力であるが、電気的に不活性である。いくつかの実装形態では、不活性な材料が、有利なオプションであると考えられ得るが、炭素繊維を含む他の材料も、少なくともいくつかの他の実装形態において、依然として適切な代替例であると考えられるべきであり、本明細書で議論されている原理は、任意の特定の材料に限定されるべきではないということが認識され得る。
【００２７】
図４Ａ〜図４Ｄは、第１の部分１２に関するさらなる詳細を図示している。リップ３２が、第１の外側ブロック３２からある角度で突出しており、また、エッジを提供しており、第１の外側ブロック３０に対してループ２２を格納するために、ループ２２がエッジの上方に設置され得る。テーパー付きの第１のタブ３６は、典型的なスキーエッジＥの幅と実質的に同様の長さの垂直のベース３７を有することに加えて、追加的な機能性を含むように輪郭決めされている。たとえば、図４Ａおよび図４Ｄにおいて見られるように、タブ３６は、その上側エッジに沿って窪み部３９に向けて下向きに傾斜しており、窪み部３９は、ループ２２の断面形状と実質的に同様のサイズになっている。これは、使用中でないときに、ループ２２が第１の部分１２の上部に沿って格納されることを可能にする（たとえば、図６も参照）。また、タブ３６は、上側ノッチおよび下側ノッチ３５を含み、後に説明されているように、タブ３６が締まり嵌めで第２の部分１４に連結されることを許容する。また、ブロック３０は、リップ３２のいずれかの側部に傾斜したエッジ３１を含み、レングス部５０に対して鋭利なエッジを与えることなく、ストラップ１６の追加的なレングス部５０が第１の部分１２のフロントに巻き付けられることを容易にする。また、スロット３４の側面図が、図４Ｄに示されている。スロット３４は、ストラップ１６のレングス部５０のために使用される輪郭にマッチするように丸みを付けられ得、したがって、たとえば、交換が必要とされるときに、特定のストラップ１６が第１の部分１２とともに使用されることを必要とする。
【００２８】
図４Ｂは、１つの例を示しており、その例では、タブ３６の幅は、３／１６”（４．７６２ｍｍ）である。図４Ｅは、１／４”（６．３５ｍｍ）幅を有するタブ３６’によって代替的なサイズを示している。より大きい幅が、スキーＳ１とスキーＳ２との間に追加的な分離を提供し、（同じタブ３６の長さを仮定して）より鋭い角度をテーパーに与える。上記に述べられているように、ノッチ３５は、タブ３６が締まり嵌めによって第２の部分１４のブロック４０の中へフィットすることを可能にする。同様に、第２の部分１４のタブ４４は、第１の部分１２のブロック３０の中へフィットすることが可能である。より具体的には、この例における外側ブロック３０は、上側フランジおよび下側フランジを画定するように切り取り部になっており、タブ４２のノッチ付きの端部が、上側フランジと下側フランジとの間にフィットすることが可能である。第１の部分１２と第２の部分１４との間のこの連結の詳細が、下記に提供されている。ブロック３０の中のノッチ３５’が、タブ３６の中のノッチ３５を使用する代わりに設けられ得、第１および第２の部分１２、１４が互いに連結されることを許容するということが認識され得る。同様に、図４Ｈおよび図４Ｉに示されているように、ノッチ３５’は、凹んだエリア４００、４０１（図４Ｈおよび図４Ｉに示されている４００）とともに使用され、保管の構成（図４Ｈ）および使用中の構成（図４Ｉ）の両方を提供することが可能である。
【００２９】
図４Ｇは、外側ブロック３０の切り取り部分を示している。第１の部分１２と第２の部分１４の間の締まり嵌めを可能にすることに加えて、切り取り部分は、また、スキーＳ１、Ｓ２の厚さにかかわらず、ストラップ１６のレングス部５０とスキーＳ１、Ｓ２との間の接触の量を増加させる。
【００３０】
図５Ａ〜図５Ｅは、第２の部分１４に関するさらなる詳細を図示している。上記に示されているように、第２の部分１４は、第１の部分１２とともに使用され、吊り下げデバイス１０を組み立てることが可能であり、または、別の第２の部分１４とともに使用され、二次的なまたは非吊り下げデバイス２０を組み立てることが可能であり、すなわち、代替的なスキーストラップとして組み立てることが可能である。第１の部分１２と同様に、第２の部分１４のタブ４４は、テーパー付きになっており、上側ノッチおよび下側ノッチ４７を含むことが可能であり、第１の部分１２または別の第２の部分１４との上述の締まり嵌めを許容する。図５Ａおよび図５Ｅに観察され得るように、また、第２の外側ブロック４０は、切り取り部を備えて形成され、上側フランジおよび下側フランジを提供することが可能であり、上側フランジおよび下側フランジの両方は、締まり嵌めを可能にするとともに、ストラップ１６のレングス部５０とスキーＳ１、Ｓ２との間の接触を増加させる。図５Ｂは、１／４”（６．３５ｍｍ）厚さを有するタブ４４’を図示しており、一方、図５Ｃは、３／１６”（４．７６２ｍｍ）厚さを有するタブ４４を図示しており、それは、第１の部分１２に関して示されている代替例と同様である。また、第２の部分１４は、鋭利なエッジを与えることなく、ストラップ１６の追加的なレングス部５０をデバイス１０、２０に巻き付けることを容易にするための傾斜したエッジ４１を含むことが可能である。また、図５Ｅに示されているスロット４２は、上記に議論されているように、ストラップ１６の同様に輪郭決めされたレングス部５０を与えるように丸みを付けられ得る。
【００３１】
図４および図５に示されている寸法は、さまざまなスキーサイズおよび形状に適応するのに適切なサイズの例示目的のためのものであるが、限定するものであると考えられるべきではないということが認識され得る。タブ３６、４４のテーパリングは、そのテーパー付きの部分によって許容される重なり合いに起因して、タブ３６、４４の合計長さよりも幅の狭いスキーＳ１、Ｓ２とともに部分１２、１４が使用されることを可能にするということが留意され得る。また、本明細書で説明されている部分１２、１４などのいずれかが、プラスチック押出品またはゴム押出品から作製され得、または、ユニタリー（unitary）ピース／コンポーネントとして、もしくは、その後に組み立てられる別々のピースから、その他の方法で生成され得るということが認識され得る。有利には、第１および第２の部分１２、１４は、硬質プラスチックの高摩擦化合物から作製され得る。そのような材料から作製された部分１２、１４の摩擦係合は、スキーＳ１、Ｓ２がそれに固定されて吊り下げられているときに、スキーＳ１、Ｓ２に沿ったデバイス１０、２０の滑りを抑制することが可能である。
【００３２】
第１の部分１２と第２の部分１４との間の締まり嵌めが、図６Ａ〜図６Ｇに図示されている。図６Ａおよび図６Ｂは、タブ３６、４４の中のノッチ３５、４７と第１および第２の外側ブロック３０、４０の中に形成されたフランジとの間の、それぞれの端部における締まり嵌めを示している。また、図４Ａ〜図４Ｃは、第１のタブ３６の中の窪み部３９に対するループ２２の格納を図示している。締まり嵌めおよびタブ３６、４４のテーパリングは、デバイス１０に関してコンパクトな保管構成を提供し、また、比較的に幅の狭いスキーＳ１、Ｓ２が収容されることを可能にする。また、スロット３４、４２のアライメント（図６Ｂを参照）は、使用中に１対のスキーＳ１、Ｓ２に固定されているとき、および、保管構成のときの両方に、ストラップ１６が第１および第２の部分１２、１４を通して送り込まれること、ならびに、ストラップ１６が第１および第２の部分１２、１４に巻き付けられることを可能にする。図６には示されていないが、ループ２２は、また、それが第１の部分１２に接触するようにおよび第１の部分１２から離れるようにスナップすることを可能にするように、付勢され得るということが認識され得る。図６Ｅは、テーパー付きのエッジ３１、４１とタブ３６、４４との間のオフセットを示しており、それは、ストラップ１６のレングス部５０が第１および第２の部分１２、１４に巻き付けられることを許容する。
【００３３】
図６Ｆおよび図６Ｇは、比較的により幅の広い１／４”（６．３５ｍｍ）厚さのタブ３６’、４４’を備えた第１および第２の部分１２、１４のフィットメント（fitment）を図示している。
【００３４】
デバイス１０、２０とともに使用されるのに適切なストラップ１６のレングス部５０が、図７Ａ〜図７Ｆに示されている。既存のＶｏｉｌｅタイプストラップが、デバイス１０、２０とともに使用され得るが、ストラップ１６のレングス部５０の中のさまざまな追加的な詳細は、デバイス１０の使用しやすさを促進させることが可能であるということが見出された。たとえば、組み立ての労力を低減させるために、および、レングス部５０が交換されることを許容するために（たとえば、かじりとられ（chewed）、カットされ、または切断された場合に）、レングス部５０は、バックル５２から除去可能であり得る。これは、図７Ａに示されているように、レングス部のベース端部において障害物６０を含むことによって許容される。これは、障害物がバックル５２に当接するまで、レングス部５０のテーパー付きの遠位端部がバックル５２を通して送り込まれることを可能にする（詳細は下記に提供される）。また、レングス部５０のより厚い部分６２が、レングス部５０のその部分６２とレングス部５０のその端部に位置付けされている部分１２、１４のスロット３４、４２との間に、わずかな摩擦係合を提供するために、障害物６０に隣接して設けられ得る。これは、デバイス１０のアセンブリをセットアップするときに、部分１２、１４を適切な場所に維持するが、ストラップ１６を締め付けるときに、依然として、レングス部５０に沿った部分１２、１４の移動を可能にする。その目的のために、矢印６３または他のしるしが、より厚い部分６２に隣接して設けられており、その端部において使用されている部分１２、１４をバックル５２に向けてスライドさせるようにユーザーをガイドすることが可能である。
【００３５】
また、第１の孔部６４が、矢印６２に隣接して設けられ得、第１の孔部６４は、保管（図１４も参照）のために、第１および第２の部分１２、１４（または、２つの第２の部分１４）の周りにストラップ１６を結び付けるために適切な場所に位置付けされているということが見出される。また、レングス部５０の主要中央部分に沿った一連の孔部５６は、それぞれの孔部５６同士の間にエンボス加工されたエリア６６を設けられ、ゴム材料の引き伸ばしを推進することが可能である。この例では、エンボス加工されたエリア６６は、孔部５６同士の間にレタリングを含むことによって設けられている。図７Ｅに最良に見られるように、ランプ６８が、また、ストラップ１６のレングス部５０の端部の中へ形成され得、第１および第２の部分１２、１４がその上を一方の方向にスライドすることを許容し、一方、部分１２、１４がストラップ１６のレングス部５０を他方の方向にスライドさせて外れさせることを阻止する。図７Ｆは、特定のストラップ１６が第１および第２の部分１２、１４とともに使用されることを強要するために、ストラップ１６のレングス部５０が、スロット３４、４２に適用される輪郭にマッチするように輪郭決めされ得るということを示す概略断面図である。
【００３６】
バックル５２が、図８Ａ〜図８Ｄにより詳細に示されている。バックル５２は、Ｄ字リングと同様に、ループとして形成されており、ストラップ１６のレングス部５０の通過を許容するための開口部７２を含む。バックル５２の一方の端部には、角度付きの歯５４があり、それは、図８Ｂに最良に示されている。開口部７２および歯５４の方向は、ストラップ１６のレングス部５０がバックル５２を通して送り込まれることを可能にし、および、ストラップ１６のレングス部５０がそれ自体に接触するように折り返し、孔部５６を歯５４と整合させ、ストラップ１６をスキーＳ１、Ｓ２に対して締め付けることを可能にする（上記に説明されている図３Ａおよび図３Ｂも参照）。また、バックル５２は、歯５４のいずれかの側部にウィング７０を含み、ストラップ１６のレングス部５０をガイドするための経路を生成させ、レングス部５０および歯５４のミスアライメントを回避することが可能である。歯５４の反対側のクロス部材は、スロット７４を含み、スロット７４は、ストラップ１６のレングス部５０がバックル５２に連結されることを可能にするようにサイズ決めされている。そのようなアセンブリは、レングス部５０のテーパー付きの端部を含み、レングス部５０のテーパー付きの端部は、スロット７４の内側開口部を通して送り込まれ、障害物６０が同じ内側開口部に当接するまで引っ張り通される。
【００３７】
バックル５２およびレングス部５０を含む、組み立てられたストラップ１６が、図９Ａ〜図９Ｂおよび図９Ｃ〜図９Ｄに示されている。図９Ａ〜図９Ｂは、組み立てられたストラップ１６のバックル端部に第１の部分１２を位置付けすることによって組み立てられたデバイス１０を図示しており、また、ランプ６８の近くに位置付けされた第２の部分１４を図示している。図９Ｃ〜図９Ｄに示されているデバイス２０は、組み立てられたストラップ１６のバックル端部に位置付けされた第２の部分１４と、ランプ６８の近くに位置付けされた別の第２の部分１４とを含む。スキーＳ１とスキーＳ２との間にタブ３６、４４を挿入することによって、および、ストラップ１６のレングス部５０を第２の部分１４を通してバックル５２に向けて引っ張ることによって、デバイス１０、２０は、１対のスキーＳ１、Ｓ２を一緒に固定することが可能である。レングス部５０のテーパー付きの端部は、開口部７２を通して送り込まれ、また、締め付けられるまでそれ自体に向けて歯５４の上方をループ状に戻され、また、整合されるまで歯５４の上方にレングス部５０を引き伸ばすことによって、孔部５６のうちの１つと歯５４とのアライメントを実現する。
【００３８】
上側ポスト２６および下側ポスト２８を含む、図１に示されている吊り下げメカニズム２４が、図１０および図１１により詳細に示されている。図１０Ａ〜図１０Ｄは、上側ポスト２６の詳細、および、上側ポスト２６に関する例示的な寸法を示している。上側ポスト２６は、形状が円筒状になっており、より幅の狭い突出リム８２を備えたベースシリンダー８０を含む。リム８２は、トラフ（trough）８９を画定しており、ループ２２が、トラフ８９の中へ固定して着座させられ得る。トラフ８９は、外向きに継続し、リップ８８を形成している。リップ８８は、内向きに継続し、凹形表面８４を形成し、外側接触表面をリップ８８の外側接触表面まで最小化することが可能であり、リップ８８は、好ましくは、図１０Ｄに示されているように丸みを付けられている。凹形表面８４は、中心チャンバー８５に向けて継続し、中心チャンバー８５は、ベースシリンダー８０の中へ部分的に延在し、装着孔部８６において終端しており、装着孔部８６は、スクリューまたは他の締結具がそれを通過することを許容するようにサイズ決めされている。皿穴形の装着孔部８６は、より短いスクリューがポスト２６を壁部２９にアンカー固定するために使用されること、または、そのスクリューのより多くの部分が壁部２９を突き通すことのいずれかを可能にする。また、ベースシリンダー８０は、使用される材料を最小化するために、ボイド（void）８７を含むことが可能である。ポスト２６に関して円形形状を使用することによって、ポスト２６は、ポスト２６自体を「水平にする」ための必要性を気にせずに（すなわち、円形の対称性に起因して）、壁部２９に装着され得るということが認識され得る。その代わりに、ポスト２６を装着することに関する唯一の関心事は、上側ポスト２６が適当な高さに装着されること、および、下側ポスト２８が、本明細書で説明されているような適当な距離に、上側ポスト２６に対して位置決めされることを保証することである。
【００３９】
図１１Ａ〜図１１Ｄは、下側ポスト２８の詳細を図示している。下側ポスト２８は、連続的な円筒形状の本体部９０を含み、本体部９０は、リップ９４を含み、リップ９４は、好ましくは、示されているように丸みを付けられており、凹形表面９２に向けて内向きに継続し、スキーＳ１、Ｓ２との接触をリップ９４のみにまで最小化する。凹形表面は、中心チャンバー９６に向けて継続し、中心チャンバー９６は、内側装着孔部９５に向けて延在している。装着孔部９５は、上側ポスト２６と同様に、装着スクリューの挿入を許容するようにサイズ決めされている。本体部９０は、横断方向の通路９８を含み、横断方向の通路９８は、本体部９０を横切ってチャンバー９６を通過している。通路９８は、ワイヤーロックの長さがそれを通過することを許容するように適切にサイズ決めされている。また、本体部９０は、使用される材料を最小化するためにボイド９７を含むことが可能である。
【００４０】
図１２は、分離Ｄを伴うポスト２６、２８の立面図を示している。少なくとも１２”（３０．４８ｃｍ）の分離は、スキーＳ１、Ｓ２が図１に図示されているように実質的に垂直方向に吊り下がることを可能にするということが見出された。上側ポスト２６を据え付けることによって、および、次いで、指針のためにストラップ１６のレングス部５０を使用することによって、下側ポスト２８は、上側ポスト２６の下方に適切な距離に一貫して設置され得る。あるいは、デバイス１０、２０のためのパッケージングによってまたはその上のいずれかに、ステンシル（stencil）が設けられ得、それは、互いに対するポスト２６、２８のための提案される据え付けポイントを提供する。
【００４１】
図１３は、スキーロック１００が使用されることを許容する通路９８を通して挿入されたワイヤー１０２の長さを図示している。ワイヤー１０２が通路９８の中に挿入されているときには、その後ろのスクリューにアクセスすることができず、したがって、１対のスキーＳ１、Ｓ２が上側ポスト２６の上に吊り下がっており、下側ポスト２８にロックされているときに、盗難を抑制するということが認識され得る。
【００４２】
上記に示されているように、図１４は、デバイス１０に関する保管された構成を図示しており、保管された構成では、第１および第２の部分１２、１４が、上記に説明されている締まり嵌めを使用して、互いに連結されており、ストラップ１６が、スロット３４、４２を通して送り込まれ、矢印６３に隣接する孔部６４を使用して、歯５４に固定されている。ストラップ１６のレングス部５０は、部分１２、１４に巻き付けられ、デバイス１０のコンパクトな保管を許容することが可能である。同様の保管構成が、１対の第２の部分１４を含むデバイス２０に関して使用され得る。
【００４３】
吊り下げメカニズム２４は、第１の部分１２によって提供される吊り下げデバイスを利用するための単なる１つの例示的なメカニズムであるということが認識され得る。たとえば、図１５に示されているように、その上側端部にフック１０６を有し、その下側端部にバンパー１０８を有する単一の構造体１０４が、壁部２９に固定され得、ループ２２を吊り下げるためのポイントを提供する。このおよび他の吊り下げメカニズムの実装形態に関するさらなる詳細が、たとえば、２０１６年１２月２日に出願された同時係属中の特許文献１に見出され得、その内容は、参照により本明細書に組み込まれている。
【００４４】
図１６は、第１および第２の部分１１２、１１４に関する代替的な実装形態を提供しており、第１および第２の部分１１２、１１４において、タブ１３６、１４４は、テーパー付きになっていない。また、タブ１３６、１４４は、図３Ａ〜図３Ｃに示されている垂直の部分なしに、完全にテーパー付きとすることも可能であるということが認識され得る。また、図１６は、歯５４を使用してバックル５２に固定されているストラップ１６のレングス部５０を図示している。歯５４を越えて延在する余剰のレングス部１７２が緩んだ状態になることを回避するために、ピン１７０が設けられ得、レングス部の中の別の孔部５６が、ピン１７０の上方に固定される。図１６において見られるように、ピン１７０は、第２の外側ブロック１４０から、第２の内側タブ１４４の方向とは反対の方向に延在している。ピン１７０は、第２の外側ブロック１４０に固定され得、または、移動可能であり得るということが認識され得る。たとえば、ピン１７０は、ベースを含むことが可能であり、１対の孔部５６（一方は、スキーＳ１に隣接しており、他方は、余剰のレングス部６２の中にある）を通して送り込まれ得る。
【００４５】
図２〜図１６に示されている例は、Ｖｏｉｌｅタイプストラップ１６を図示しているが、他のストラップタイプが使用され得るということが認識され得る。たとえば、ストラップ１６は、その代わりに、メス型およびオス型のＶｅｌｃｒｏストリップをそれぞれ含むことが可能であり、ストラップ１６をそれ自体に解放可能に固定することは、また、たとえば、スナップ、クラスプなどを含む、他の解放可能な固定メカニズムがストラップ１６を適切な場所に保持するために使用され得るということが認識され得る。
【００４６】
内側ブロック３０、４０とスキーＳ１、Ｓ２の側部との間に適切な（または、追加的な）摩擦を提供するために（すなわち、それらが吊り下げられているときに、デバイス１０、２０がスキーＳ１、Ｓ２に沿って滑ることを回避するために）、１つまたは複数のパッド１７４が、図１７に示されているように、ブロック３０／１３０、４０／１４０の内側表面の上に設けられ得る。このように、ストラップ１６が図３または図１６に示されているように固定されたときには、パッド１７４は、スキーＳ１、Ｓ２を支え、滑りを抑制する。
【００４７】
上記に示されているように、Ｖｏｉｌｅタイプストラップ１６の使用は単なる１つの可能な実装形態である。たとえば、図１８Ａに示されているように、一体化されたストラップが使用され得、そこでは、レングス部１５０は、一方の端部において、第１の外側ブロック１３０に固定されている。この実装形態において、レングス部１５０は、第２の外側ブロック１４２の中の第２のスロット１４２を通して、第１の外側ブロック１３０から延在する歯１５４に向けて送り込まれる。歯１５４は、図３および図１６に示されている歯５４と同様の様式で動作し、レングス部１５０の中の孔部１５６は、歯１５４の上方に固定された状態になる。歯１５４は、内側タブ１３６に対して垂直であることが可能であり、または、歯５４のように角度を付けられ得るということが認識され得る。そのうえ、固定されたピン１７０または移動可能なピン１７０（図１８Ａには図示せず）が、また、レングス部１５０の任意の余剰の部分を固定するために使用され得る。
【００４８】
図１８Ｂは、ストラップ４５０に関してさらに別の構成を示しており、それは、４つのセグメント４５０Ａ、４５０Ｂ、４５０Ｃ、および４５０Ｃを含み、それらは、部分１４からそれぞれ延在している。図１８Ｂに示されている構成では、セグメント４５０Ａ、４５０Ｃは、互いに向けて引っ張られ得、一方、セグメント４５０Ｂ、４５０Ｄは、互いに向けて引っ張られ、ラチェット状の接続などのような調節可能な固定メカニズム４５２を使用して、互いにラッチ係合させられるか、または、その他の方法で固定もしくは接続される。セグメント４５０Ａ〜４５０Ｄは、部分１４に固定され得、または、部分１４の中のスロットを通して送り込まれるセグメント４５０Ａ／４５０Ｂおよび４５０Ｃ／４５０Ｄの対の一部に固定され得るということが認識され得る。また、同様の構成が、第１の部分１２にも適用され得るということが認識され得る。同様に、１対のセグメント（たとえば、４５０Ａ、４５０Ｃ）は、他の対のセグメント（たとえば、４５０Ｂ、４５０Ｄ）がスキーＳ１、Ｓ２の周りにストラップ４５０を固定するように解放可能に連結された状態で取り付けられ得る。
【００４９】
たとえば、歯５４を含まないＶｏｉｌｅタイプストラップなど、他のタイプのストラップも使用され得る。そのようなストラップに関して、図１９Ａに示されているような移動可能な歯構造体２００が使用され得る。移動可能な歯構造体２００は、ベース２０６によって支持されている１対のポスト２０４を含む。また、ベース２０６は、この例では、その中間部分において、角度付きの歯２５４を支持している。図１９Ｂに示されているように、ポスト２０４および角度付きの歯２５４を、対応して整合させられたレングス部２５０の中の孔部２５６の中へ挿入することによって、構造体２００は、ストラップ２６０のレングス部２５０の一部分に固定される。このように、図１９Ｃに示されているように、レングス部２５０の一部分は、Ｖｏｉｌｅタイプストラップおよびバックル２５２に関連して上記に説明されているように、角度付きの歯２５４の上方を引っ張られ、角度付きの歯２５４を孔部２５６に通して延在させることが可能である。
【００５０】
図２０は、図１９に示されているストラップ２６０を備えた、図１８と同様のデバイス１０の図を図示している。見ることができるように、構造体２００は、レングス部２５０に沿って任意の好都合の部分において挿入され、角度付きの歯２５４の上方にそれを引っ張ることによって、レングス部２５０の自由端部がそれ自体に対して固定されていることを可能にすることができる。図２１は、構造体２００がレングス部２５０の異なる部分に沿って設置され得るということを図示している。
【００５１】
図２２Ａ〜図２２Ｅは、移動可能な固定メカニズムを備えたストラップ３６０の別の実装形態を図示している。最初に図２２Ａを参照すると、ストラップ３６０は、平面図および側面図の両方で示されている。ストラップ３６０は、レングス部３５０を有しており、レングス部３５０は、それに沿って一連の取り付け孔部３５６を含み、それぞれの孔部３５６は、装着孔部３００のアレイによって取り囲まれている。図２２Ｂおよび図２２Ｃに図示されているように、取り付け孔部３５６は、移動可能なボタン３５４の通過を許容し、移動可能なボタン３５４は、移動可能なボタン構造体３１０の上に支持されている。また、移動可能なボタン構造体３１０は、取り付けポスト３１４のアレイを含み、取り付けポスト３１４は、移動可能なボタン３５４が特定の取り付け孔部３５６の中へ挿入されているときにストラップ３６０の中の装着孔部３５０のアレイとアライメント状態になるように間隔を置いて配置されている。このように、移動可能なボタン構造体３１０は、それに沿った複数の位置のうちの任意の１つにおいて、ストラップのレングス部３５０に取り付けられ、互いに固定されているスキーＳ１、Ｓ２に関する異なる幅および厚さに適応することが可能である。
【００５２】
図２２Ｄおよび図２２Ｅに示されているように、上記に議論されているように構造体３１０をストラップ３６０に固定した後に、ストラップ３６０のレングス部３５０は、ボタン３５４と、ボタン３５４の上方へ送り込まれた適切に整合させられた取り付け孔部３５６との上方に引っ張られ得（および、適用可能な場合には、引き伸ばされる）、それが取り付け孔部３５６を通って延在し、図２２Ｅに図示されているように、ストラップ３６０のレングス部３５０をそれ自体に固定するようになっている。
【００５３】
ここで図２３から図２７を見てみると、端部部分４１４の別の実装形態が示されている。この例における端部部分４１４は、図３に示されている方式で、別の端部部分４１４とともに使用されることが最も適しているが、それは、上記に例示されているものなどのような第１の部分１２とともに使用され得るということも認識され得る。この実装形態では、端部部分４１４は、内側タブ４４４を含み、内側タブ４４４は、３つの別個のウェッジ（wedge）部分、すなわち、上側ウェッジ４４４ａ、下側ウェッジ４４４ｂ、および中央ウェッジ４４４ｃを含む。ウェッジ４４４ａ〜４４４ｃは、全体的なテーパー付きの形状を提供し、上記に説明されているものと同じ機能性を提供するが、使用される全体的な材料、および、組み立ての間にスキーに潜在的に接触し得る表面積を低減させ、図２８に示されているように、第１の端部部分４１４が第２の端部部分に固定されることを可能にするためのインターフェースメカニズムを生成させる。最初に図２３を参照すると、端部部分４１４は、上記に説明されている他の実施形態と同様に外側ブロック４４０を含む。しかし、この実装形態では、外側ブロック４４０は、両側がベベル４４８付きになっており、先端部４４６において終端する三角形形状または矢印形状を生成する。先端部４４６は、装着メカニズム５００のランディングエリアとのアライメントを促し、装着メカニズム５００は、図２９に示されており、より詳細に下記に説明されている。図２３は、スロット４４２が、たとえば、図３に示されている実施形態と同じ方式で設けられているということを図示している。
【００５４】
図２４、図２５、および図２６は、例示目的のためだけに提供される追加的な図および例示的な寸法を提供する。図２７において見ることができるように、中央ウェッジ４４４ｃと上側および下側ウェッジ４４４ａ、４４４ｂとの間のオフセットは、端部部分４１４の両端部においてボイド４５０を生成させる。また、より詳細に下記に説明されているように、これらのボイド４５０は、１対の端部部分４１４およびスキーストラップ５０を含むスキーストラップアセンブリ（図２８も参照）が、下記に説明されている適切に構成された吊り下げメカニズム５００の上に吊り下げられることを可能にするということが認識された。また、いずれかの端部におけるボイド４５０の存在は、端部部分４１４がいずれかの配向で据え付けられることを可能にし、そのうえ、スキーが先端部を上にしてまたは先端部を下にして吊り下げられることを可能にする。
【００５５】
吊り下げメカニズム５００は、例として、図２９から図３４に示されている。図２９および図３０から始めると、吊り下げメカニズム５００は、ユニタリー本体部の中に構築され得、ユニタリー本体部は、１対の通路５０２を含み、たとえば、上記に議論されているようなスクリューおよび壁部アンカーによって、吊り下げメカニズムが壁部に固定されることを許容する。吊り下げメカニズム５００は、１対の位置付けウィング５０４を含み、ウィング５０４は、ランディングチャネル５０６に向けて内向きに傾斜している。図２９に図示されているように、ウィング５０４およびランディングチャネル５０６は、随意的に、矢印のしるしを含み、ランディングメカニズムに関してユーザーに指示することが可能である。また、吊り下げメカニズム５００は、壁部または他の基板の上にスキーＳ１、Ｓ２を吊り下げるために、スキーストラップアセンブリの中に固定されているときの端部部分４１４を受け入れるための下側プラットフォーム５０８を含む。また、下側バンパー（図示せず）は、間隔を置いて配置された関係で、吊り下げメカニズム５００に設けられ、吊り下げられたときにスキーＳ１、Ｓ２の実質的に直立した位置決めを維持し、また、壁部または基板を保護することが可能であり、滴り落ちる水を捕らえるための槽を提供し、幅木を保護することなどが可能であるということが認識され得る。
【００５６】
プラットフォーム５０８は、オフセットされたアーム５１０を含み、アーム５１０は、直立したピン５１２をランディングチャネル５０６に対して中心を外れた位置に位置決めする。このように、ピン５１２は、吊り下げられている端部部分４１４のボイド４５０とアライメント状態に位置決めされ得る。このオフセットアライメントは、図３１および図３２に示されている。図３１〜図３４は、例示目的のためだけに提供される追加的な図および例示的な寸法を提供する。これらの図から認識され得るものは、スキーストラップアセンブリが吊り下げメカニズム５００の上に吊り下げられているときに、プラットフォーム５０８およびランディングエリア、ならびに、吊り下げメカニズム５００の全体的な輪郭が、吊り下げメカニズム５００に対する１対のスキーＳ１、Ｓ２の回転移動を許容するということである。この収容は、衝突されたまたは押しのけられた場合に、アセンブリが吊り下げメカニズム５００から外れさせられることを抑制する。その目的のために、ピン５１２は、端部部分４１４およびその外側ブロック４４０がウィング５０４の下のランディングエリアによって抑制されることなく、そのような回転を可能にするのに十分な距離に、アーム５１０の上に位置決めされている。また、スキーストラップ５０およびその固有の復元力は、吊り下げメカニズム５００の上に装着しているときに捩じられた場合に、アセンブリが伸びることを可能にし、したがって、アセンブリが外れることなく、不注意な移動および可能性のある粗雑な取り扱いをさらに許容する。
【００５７】
図３５から図３９は、孤立して吊り下げメカニズム５００の上に装着されている端部部分４１４を図示しており、ピン５１２およびボイド４５０の相対的な位置決めを図示しており、それは、図３６に最良に見られる。図３５および図３６は、プラットフォーム５０８の上に着座させられている端部部分４１４を図示しており、アーム５１０がボイド４５０とアライメント状態にピン５１２を設置している。図３５および図３９を参照すると、外側ブロック４４８のベベル４４８が、ウィング５０４の傾斜面と実質的に同様になっており、先端部４４６がランディングチャネル５０６に隣接した状態で、端部部分４１４が受け入れられることを促し、そして、図３６および図３７において見られるように、ピン５１２およびボイド４５０のアライメントを促すということを見ることが可能である。また、図３６に最良に見られるように、ピン５１２は、スキーＳ１、Ｓ２と接触し得る表面積を最小化するために、テーパーを含むことが可能であり、または、その他の方法で尖らせられるかもしくは角度を付けられ得、さらに、「ノータッチ」または「最小タッチ」アセンブリを生成させ得る。
【００５８】
再び図３４を参照すると、吊り下げメカニズム５００の全体的な深さは、図示されているように、スキーＳ１、Ｓ２をそれらが吊り下げられている壁部または他の基板から十分にオフセットさせるように選ばれ得るということが認識され得る。これは、壁部または基板の潜在的な損傷を低減させ、ユーザーがアセンブリを取り出すために彼らの手をフィットさせるためのギャップを提供する。
【００５９】
図２９〜図３９は、１つのスキーストラップアセンブリ２０を吊り下げるための単一の吊り下げメカニズム５００を図示しているが、複数の吊り下げメカニズム５００が、同じ構造体の中に提供され得、または、スキー吊り下げラック構成を提供するために、レールまたは他のベースに取り付けられ得るということが認識され得る。
【００６０】
デバイス１０、２０の異なる構成が、アルペンスキーかノルディックスキーに関して作製され得、それらは、幅、厚さ、およびキャンバーなどのような、異なる特性を本来的に有するということが認識され得る。これは、内側タブ３６、４４の長さ、および、ストラップ１６の長さを変化させることによって行われ、とりわけ、異なる幅に適応することが可能である。
【００６１】
簡単にするためにおよび図示を明確にするために、適当であると考えられる場所では、対応するまたは同様のエレメントを示すために、参照番号が図の間で繰り返される可能性がある。加えて、本明細書で説明されている例の徹底的な理解を提供するために、多数の具体的な詳細が記載されている。しかし、本明細書で説明されている例は、これらの具体的な詳細なしに実践され得るということが当業者によって理解されるであろう。他の場合では、本明細書で説明されている例を曖昧にしないように、周知の方法、手順、およびコンポーネントは、詳細には説明されていない。また、説明は、本明細書で説明されている例の範囲を限定するものとして考えられるべきではない。
【００６２】
本明細書で使用されている例および対応するダイアグラムは、例示目的のためだけのものであるということが認識されるであろう。異なる構成および専門用語が、本明細書で表現されている原理から逸脱することなく使用され得る。たとえば、コンポーネントおよびモジュールは、これらの原理から逸脱することなく、追加されるか、削除されるか、変形されるか、または、異なった接続で配置され得る。
【００６３】
上記の原理は、ある特定の例を参照して説明されてきたが、そのさまざまな変形例が、添付の特許請求の範囲に概説されているように、当業者に明らかになるであろう。
【図１】
0006882537.tif 000002
【図２】
0006882537.tif 000003
【図３Ａ】
0006882537.tif 000004
【図３Ｂ】
0006882537.tif 000005
【図３Ｃ】
0006882537.tif 000006
【図３Ｄ】
0006882537.tif 000007
【図３Ｅ】
0006882537.tif 000008
【図４Ａ】
0006882537.tif 000009
【図４Ｂ】
0006882537.tif 000010
【図４Ｃ】
0006882537.tif 000011
【図４Ｄ】
0006882537.tif 000012
【図４Ｅ】
0006882537.tif 000013
【図４Ｆ】
0006882537.tif 000014
【図４Ｇ】
0006882537.tif 000015
【図４Ｈ】
0006882537.tif 000016
【図４Ｉ】
0006882537.tif 000017
【図５Ａ】
0006882537.tif 000018
【図５Ｂ】
0006882537.tif 000019
【図５Ｃ】
0006882537.tif 000020
【図５Ｄ】
0006882537.tif 000021
【図５Ｅ】
0006882537.tif 000022
【図６Ａ】
0006882537.tif 000023
【図６Ｂ】
0006882537.tif 000024
【図６Ｃ】
0006882537.tif 000025
【図６Ｄ】
0006882537.tif 000026
【図６Ｅ】
0006882537.tif 000027
【図６Ｆ】
0006882537.tif 000028
【図６Ｇ】
0006882537.tif 000029
【図７Ａ】
0006882537.tif 000030
【図７Ｂ】
0006882537.tif 000031
【図７Ｃ】
0006882537.tif 000032
【図７Ｄ】
0006882537.tif 000033
【図７Ｅ】
0006882537.tif 000034
【図７Ｆ】
0006882537.tif 000035
【図８Ａ】
0006882537.tif 000036
【図８Ｂ】
0006882537.tif 000037
【図８Ｃ】
0006882537.tif 000038
【図８Ｄ】
0006882537.tif 000039
【図９Ａ】
0006882537.tif 000040
【図９Ｂ】
0006882537.tif 000041
【図９Ｃ】
0006882537.tif 000042
【図９Ｄ】
0006882537.tif 000043
【図１０Ａ】
0006882537.tif 000044
【図１０Ｂ】
0006882537.tif 000045
【図１０Ｃ】
0006882537.tif 000046
【図１０Ｄ】
0006882537.tif 000047
【図１１Ａ】
0006882537.tif 000048
【図１１Ｂ】
0006882537.tif 000049
【図１１Ｃ】
0006882537.tif 000050
【図１１Ｄ】
0006882537.tif 000051
【図１２】
0006882537.tif 000052
【図１３】
0006882537.tif 000053
【図１４】
0006882537.tif 000054
【図１５】
0006882537.tif 000055
【図１６】
0006882537.tif 000056
【図１７】
0006882537.tif 000057
【図１８Ａ】
0006882537.tif 000058
【図１８Ｂ】
0006882537.tif 000059
【図１９Ａ】
0006882537.tif 000060
【図１９Ｂ】
0006882537.tif 000061
【図１９Ｃ】
0006882537.tif 000062
【図２０】
0006882537.tif 000063
【図２１】
0006882537.tif 000064
【図２２Ａ】
0006882537.tif 000065
【図２２Ｂ】
0006882537.tif 000066
【図２２Ｃ】
0006882537.tif 000067
【図２２Ｄ】
0006882537.tif 000068
【図２２Ｅ】
0006882537.tif 000069
【図２３】
0006882537.tif 000070
【図２４】
0006882537.tif 000071
【図２５】
0006882537.tif 000072
【図２６】
0006882537.tif 000073
【図２７】
0006882537.tif 000074
【図２８】
0006882537.tif 000075
【図２９】
0006882537.tif 000076
【図３０】
0006882537.tif 000077
【図３１】
0006882537.tif 000078
【図３２】
0006882537.tif 000079
【図３３】
0006882537.tif 000080
【図３４】
0006882537.tif 000081
【図３５】
0006882537.tif 000082
【図３６】
0006882537.tif 000083
【図３７】
0006882537.tif 000084
【図３８】
0006882537.tif 000085